Podtech/llm-jp-corpus-v4-ja_patent huggingface dataset:
(57)【要約】【課題】  既設建物の人が入れない天井裏にケーブルを施設する時、竿を伸ばして先端にケーブルを結び付け手前に引き寄せる方法で施工しているが、竿先を持ち上げて伸ばさなければならない為伸ばせる長さに限界があり、直進しか出来ないものであった。また、管路の内部検査をするためにカメラを送り込む場合管路が長く曲がっているとカメラを送り込むのが困難であった。【解決手段】  しなやかな折れ曲がる素材でできた管の先端を捲り返し導入口に固定することによって出来た間隙の圧力を上げ、導入口の中心からつぶれた状態の管を送り込むことで管の先端で中心部が押し出され延伸する。その時管と周りの接触面は無限軌道になり摩擦を発生させないで管を延伸させることができる。【選択図】図１
2010216644.tif 000002
【特許請求の範囲】
【請求項１】
長い筒状の物を捲って折り返し、捲くり返された間隙に圧力を加えて折り返された内側が押し出され延伸する装置。
【発明の詳細な説明】
【技術分野】
【０００１】  本発明は、隠蔽場所の隙間に筒状の管を捲って伸ばし目的地点に到達するための装置に関する。
【背景技術】
【０００２】  従来の器具には、短い棒を幾つも重ねてその先端に止めた紐を一番手前の棒にバネを介して留め、曲った後でも直進するようにしたものがある。（特許文献１参照）また、挿入場所からコイル状のガイドパイプを布設しそれに沿って点検ヘッドを挿入する方式にしたものがある。（特許文献２参照）また、軟質チューブを膨らませて棒状にし先端を引出口まで伸ばすものがある。（特許文献３参照）そのほか内視鏡用可撓管には、挿入する際内壁との摩擦を少なくする為内壁に密着しないように湾曲の仕方をカクカクさせたものがある。（特許文献４参照）
【先行技術文献】
【特許文献】
【０００３】
【特許文献１】  特許番号  第２９７９４０６号
【特許文献２】  特許番号  第３６９９８７９号
【特許文献３】  特許番号  第１９４１４２１号
【特許文献４】  特許番号  第３９２７７６４号
【発明の概要】
【発明が解決しようとする課題】
【０００４】  従来の器具は、管を延伸させる時接触面で摩擦が発生し長い管を挿入することは困難である。また管の進む方向を途中で変えることが出来ない。【０００５】  本発明は、このような問題を解決して、管を長く自由に延伸させることを目的とするものである。
【課題を解決するための手段】
【０００６】  そして、その解決方法として、しなやかな折り曲がる素材でできた管の先端を捲り、捲くり返された間隙に圧力を加えることで内側がせり出して延伸する様にしたものである。【０００７】  また、延伸する方向を変える方法として導入口より間隙にフレキシブルな棒を挿入し先端付近で遠隔操作により曲げ、ガイドを作ることで管が曲がり延伸するようにしたものである。
【発明の効果】
【０００８】  上述したように本発明の装置は折り返った管の内側がせり出すことで無限軌道となり、延伸する時に接触面で引きずる事無く管を進めることができる。【０００９】  また先端がガイドに沿って向きを変えることで目的場所の方向に管の先端を向かわせることができる。
【図面の簡単な説明】
【００１０】
【図１】  本発明の実施形態を示す正面図
【図２】  本発明の実施形態を示す右側面図
【図３】  図１におけるＡ−Ａ´線断面図
【図４】  図２におけるＢ−Ｂ´線断面図
【図５】  本発明の実施形態に向きを変えるためのガイドをつけた例
【発明を実施するための形態】
【００１１】  以下、本発明の実施の形態を図１〜図５に基づいて説明する。
【実施例】
【００１２】  図においては、１は折れ曲がるしなやかな素材でできた管で、導入口２の中心の穴を通して捲って折り返し端が導入口２に固定されている。【００１３】  ４は加圧装置で導入口２から間隙３に圧力をかけ間隙３を膨らませている。【００１４】  ５は方向を変えるためのガイドで間隙に挿入されている。【００１５】  以下、この装置の動作説明をする。管１をつぶれた状態で導入口２の中心の穴より送り込み、間隙３に加圧装置４で圧力をかけて、間隙３が膨張しようとする力で先端がせり出し延伸する。
【産業上の利用可能性】
【００１６】  この装置は入口から目的地まで隠蔽されている区間（例えば既設建物の天井裏や配管路の内部）を連絡したり、探査する手段として利用できる。
【符号の説明】
【００１７】  １  つぶれた状態の管
２  導入口
３  間隙
４  加圧装置
５  向きを変えるためのガイド
【図１】
2010216644.tif 000003
【図２】
2010216644.tif 000004
【図３】
2010216644.tif 000005
【図４】
2010216644.tif 000006
【図５】
2010216644.tif 000007
【手続補正書】
【提出日】平成21年8月17日(2009.8.17)
【手続補正１】
【補正対象書類名】特許請求の範囲
【補正対象項目名】請求項１
【補正方法】変更
【補正の内容】
【請求項１】
導入口より間隙にフレキシブルな棒が挿入され先端部に遠隔操作で曲がるガイドを設け、延伸する方向を変えられる「長い筒状のものを捲って折り返し、捲くり返された間隙に圧力を加えて内側が押し出され延伸する装置」。
(57)【要約】【課題】部品点数を増加させることなく、簡易な構造で凝縮水を堰き止めることが可能な排気装置を提供する。【解決手段】車両に搭載した状態で鉛直方向Ｖに立設する消音器２と、消音器２から上方に向けて立設するとともに湾曲部３ｂを有して排気流出口３ｃが側方に指向する排気流出管３とを備える排気装置１において、排気流出管３の排気流入口３ａに小径部３ｄを一体的に形成して消音器２に内装し、小径部３ｄの外周面３ｅと消音器２の内周面２ｃとの間に凝縮水Ｗを堰き止める環状隙間部６を設ける。【選択図】図１
2010216460.tif 000002
【特許請求の範囲】
【請求項１】
車両に搭載した状態で鉛直方向に立設する消音器と、該消音器から上方に向けて立設するとともに湾曲部を有して排気流出口が側方に指向する排気流出管とを備える排気装置において、
前記排気流出管の排気流入口に小径部を一体的に形成して前記消音器に内装し、前記小径部の外周面と前記消音器の内周面との間に凝縮水を堰き止める環状隙間部を設けることを特徴とする排気装置。
【発明の詳細な説明】
【技術分野】
【０００１】  本発明は車両に搭載される排気装置に関する。
【背景技術】
【０００２】  従来、フォークリフトやトラクタ等の産業用車両に搭載される排気装置として、車両に搭載した状態において鉛直方向に立設する消音器と、該消音器から上方に向けて立設するとともに湾曲部を有して排気流出口が側方に指向する排気流出管とを備える排気装置が知られている。【０００３】  そして、特許文献１に開示されるように、水滴捕捉部材を排気流出管内に別体的に配置することにより、内燃機関の始動時等に発生する凝縮水を水滴捕捉部材により堰き止めて、凝縮水が排気流出口から大気中へ流出しにくくする排気装置が提案されている。【０００４】  しかしながら、上記のように水滴捕捉部材を排気流出管内に別体的に配置する排気装置においては、部品点数が増加する問題や、水滴捕捉部材の配置作業及び溶接等による固定作業が必要となる問題がある。
【先行技術文献】
【特許文献】
【０００５】
【特許文献１】特開２００８−２６１２４２号公報
【発明の概要】
【発明が解決しようとする課題】
【０００６】  本発明は上記問題に鑑み、部品点数を増加させることなく、簡易な構造で凝縮水を堰き止めることが可能な排気装置を提供することを目的とする。
【課題を解決するための手段】
【０００７】  上記課題を解決するために、請求項１の発明は、車両に搭載した状態で鉛直方向に立設する消音器と、該消音器から上方に向けて立設するとともに湾曲部を有して排気流出口が側方に指向する排気流出管とを備える排気装置において、前記排気流出管の排気流入口に小径部を一体的に形成して前記消音器に内装し、前記小径部の外周面と前記消音器の内周面との間に凝縮水を堰き止める環状隙間部を設ける。
【発明の効果】
【０００８】  本発明によれば、部品点数を増加させることなく、簡易な構造で凝縮水を堰き止めることが可能な排気装置を提供することができる。
【図面の簡単な説明】
【０００９】
【図１】本発明の実施形態に係る排気装置を示す一部縦断面図
【発明を実施するための形態】
【００１０】  本発明を実施するための形態を図１に示す実施例に基づいて説明する。尚、図は本発明の排気装置を不図示の車両に搭載した状態のものであり、図の左右方向は３次元空間における水平方向Ｈに一致し、上下方向は鉛直方向Ｖと一致する。また、図の下側が排気上流側であり、上側が排気下流側である。
【００１１】  排気装置１は、車両に搭載した状態において鉛直方向Ｖに立設する消音器２と、この消音器２の下流側端部２ａから上方に向けて立設する排気流出管３とによって構成される。
【００１２】  また、消音器２の上流側端部２ｂには排気流入管４が貫通して固設される。そして、不図示の内燃機関から排出された排気は、排気流入管４を介して消音器２内に流入して拡張作用により消音された後、排気流出管３を介して大気中に放出される。また、消音器２の外周には保護カバー５が装着される。
【００１３】  排気流出管３は１本の金属管からなり、プレス加工等により小径部３ｄが一体的に形成された排気流入口３ａと、曲げ加工により形成された湾曲部３ｂと、雨水の浸入を防ぐように側方に指向する排気流出口３ｃとによって構成される。そして、小径部３ｄを消音器２に内装して、排気流出管３と消音器２とを下流側端部２ａの位置において溶接等により固設することにより、小径部３ｄの外周面３ｅと消音器２の内周面２ｃとの間に、凝縮水Ｗを堰き止める環状隙間部６が設けられる。
【００１４】  そして、内燃機関の始動時等に発生した凝縮水Ｗは、排気の流れに乗って消音器２の内周面２ｃに沿って鉛直方向Ｖに上昇するが、環状隙間部６に堰き止められ、排気流出口３ｂから大気中へ流出しにくくなる。
【００１５】  本実施形態の排気装置によれば、凝縮水Ｗを堰き止める環状隙間部６が、排気流出管３における小径部３ｄの外周面３ｅと消音器２の内周面２ｃとによって構成されることから、従来の水滴捕捉部材を別体で設ける必要がなく、部品点数を増加させることなく、簡易な構造で凝縮水を堰き止めることができる。
【００１６】  以上、本発明の実施形態を説明してきたが、本発明は上記の実施形態に限られるものではなく、本発明の趣旨を逸脱しない範囲の変更があっても本発明に包含される。小径部３ｄの直径及び鉛直方向Ｖの長さは任意である。また、消音器２に対する排気流入口３ａの内装位置も任意である。
【符号の説明】
【００１７】  １  排気装置
２  消音器
３  排気流出管
３ａ  排気流入口
３ｂ  湾曲部
３ｃ  排気流出口
３ｄ  小径部
６  環状隙間部
【図１】
2010216460.tif 000003
(57)【要約】      （修正有）【課題】地中の温度は、年間を通して、温度の変化が少なく安定をしており、冬季は外気よりも暖かく、夏季は外気よりも低いという利点を活用して、空気調整を行い送風することにより、快適な室内環境を作り出す。【解決手段】集熱パイプの下部には、軽石状の多孔質の小石状の塊（素焼陶石、軽石、多孔質硬質樹脂等）を利用して地中の温度を貯留、保温させる。この地中の保温された空気は、上部のファンより、微風でパイプ下部に送り、中間、上部よりこの保温空気を吸引し熱交換、除塵フィルター等を通して、室内へエアコンディショニングして送風する。【選択図】図１
2010216791.tif 000002
【特許請求の範囲】
【請求項１】
地中の温度が年間を通して変化が少ないことを利用した、集熱パイプ利用エアコンディショニング・システムの集熱パイプ装置である。
【発明の詳細な説明】
【技術分野】
【０００１】  地中の温度は、年間を通して、温度の変化が少なく安定をしており、冬季は外気よりも暖かく、夏季は外気よりも低いという利点を活用して、空気調整を行い送風することにより、快適な室内環境を作り出すことができる。
本考案は、地中集熱パイプ利用エアコンディショニングシステムである。【０００２】  このエアコンディショニングシステムに利用する集熱用パイプは、塩ビパイプ等の耐久性、耐候性、耐震性を持つ素材を使用して、そのパイプの下部は塞いだ構造として、地中よりの湿気と水分の進入を防ぐことができる構造とする。【０００３】  この集熱パイプの下部には、軽石状の多孔質の小石状の塊（素焼陶石、軽石、多孔質硬質樹脂等）を利用して地中の温度を貯留、保温させる。
この地中の保温された空気は、上部のファンより、微風でパイプ下部に送り、中間、上部よりこの保温空気を吸引し熱交換、除塵フィルター等を通して、室内へエアコンディショニングして送風する。【０００４】  基本は、住宅等の小規模用に利用範囲が広いが、集熱パイプ径を大きくして、深く掘削する、強力ファンを利用するなどして、大規模施設にも利用することができるように、充分対応が可能である。【０００５】  本案の応用として、集熱パイプ内に細管で水を送り、それを保温させて、低温だが保温された水が得られることを利用する事が可能である。
【背景技術】
【０００６】  省エネ対策として、有効なものが要求されている。
【発明が解決しようとする課題】
【０００７】  低コストの省エネルギー対策を考える。
【課題を解決するための最良の形態】
【０００８】  本考案の基本的装置の概略は［図  面］によります。
【産業上の利用可能性】
【０００９】  低コストの省エネルギー装置としての利用が期待できる。
【図面の簡単な説明】
【００１０】  ［図  面］  装置説明図
【図１】  装置断面説明図（集熱パイプ説明図）
【図２】  工法
【図３】  利用説明図（スケッチ図）
【図１】
2010216791.tif 000003
【図２】
2010216791.tif 000004
【図３】
2010216791.tif 000005
(57)【要約】【課題】広く一般家庭での普及を促す太陽光発電システムの導入方法【解決手段】一般家庭で既に普及していて常時電力を消費している冷蔵庫に、従来の１０分の１程度の規模の太陽電池を直接接続する。冷蔵庫は太陽光発電エネルギーを商用交流電源に対し優先的に使用し、太陽光発電電力に余剰がある場合は冷蔵庫の冷凍機能を増加することにより当該余剰エネルギーを蓄え、太陽光発電が得られない時に利用する。【選択図】図１
2010216792.tif 000002
【特許請求の範囲】
【請求項１】
太陽電池から優先的に電力を受けることを特徴とする冷蔵庫。
【発明の詳細な説明】
【技術分野】
【０００１】  本発明は太陽光エネルギーを効率的に使用した冷蔵庫に関するものである。
【背景技術】
【０００２】  太陽電池は近年問題となっている地球温暖化対策として普及が求められている太陽光エネルギーを電気エネルギーに変換する装置である。一般家庭での適用は、主に戸建住宅の屋根に設置した３ないし４キロワットの発電出力を持つ太陽電池を、直流−交流変換して既存の配電線に接続する形式のものが、従来技術として知られている。
【先行技術文献】
【非特許文献】
【０００３】
【非特許文献１】シャープ株式会社、住宅用太陽光発電システム総合カタログ（２００８・９）
【発明の概要】
【発明が解決しようとする課題】
【０００４】  しかしながら、従来技術は以下の課題がある。３ないし４キロワットの発電出力を持つ太陽電池は、一般家庭においてかなり高額な投資（約２５０万円）を必要とする。太陽光発電に適した屋根を持つ戸建住宅は、住居全体において限られた割合でしかない。特に都市部ではマンション住まいの家庭も多く存在する。出力変動が激しい太陽電池が配電線を介して電力系統に接続されると、電力会社の電力系統の安定制御を複雑にする。余った電力を電力会社に定額で買い取らせることは、太陽光発電を行っていない一般の家庭の電気代の増加につながる。
【課題を解決するための手段】
【０００５】  上記の課題を解決するために、本発明は一般家庭に普及している電気製品で、常時電力を消費し、かつエネルギーを蓄えることができるものとして冷蔵庫に着目した。その上で、１０分の１程度の規模の太陽電池を、冷蔵庫内部のインバータ・スイッチング回路前段の直流電圧部のキャパシタに直流−直流変換して接続することにした。
【発明の効果】
【０００６】  本発明は以下の効果を奏する。１０分の１程度、すなわち３００ないし４００ワット規模の太陽電池であるので、投資額が１０分の１程度で済む。設置面積も１０分の１程度で済むので、マンションのベランダでも太陽電池を設置できる。つまり、より多くの一般家庭で手軽に実行できる太陽光発電システムとなりうる。電力系統には接続しないので、上記電力系統安定性の問題や、他の一般家庭の電気代の増加は起こらない。従来の方法では、直流−交流変換後、冷蔵庫内でさらに交流−直流変換していたが、本発明では直流−直流変換一段であるので、電力変換効率が高い。太陽光エネルギーは冷蔵庫の製氷機能を増加して余らせることなく使用することができる。この際生じた氷は、夜間など太陽光エネルギーの無いときに融解して冷却に使用できる。冷蔵庫は停電時でも機能を保持したいものであるので、本発明は非常時対策としても効果がある。
【図面の簡単な説明】
【０００７】
【図１】本発明の実施例に係るブロック図である。
【発明を実施するための形態】
【０００８】  以下、本発明の実施の形態について、詳細に説明する。
【実施例】
【０００９】  図１は、本発明の実施例に係るブロック図である。従来の冷蔵庫は電源コードをコンセントに接続することにより商用電源より電力を得て冷却機能を実現している。先ず、本発明の冷蔵庫１で、インバータ形式の従来の冷蔵庫の機能を説明する。従来の電源コード２は冷蔵庫内部の交流−直流変換器３に接続され、商用電源の交流電圧が交流−直流変換器３において直流電圧に変換されて、キャパシタ４に電荷が蓄えられる。キャパシタ４に蓄えられた直流電圧をもとに、スイッチング回路５で高周波でスイッチングが行われ、モーターを駆動する。このモーターはコンプレッサーに機械的に結合しており冷媒の圧縮がなされ、ひいては冷却につながる機能を実現している。【００１０】  本発明では、太陽電池６が冷蔵庫１に取り付けられた直流電圧入力端子７に直流用電源ケーブル８で接続されている。直流電圧入力端子７はさらに直流−直流変換器９につながっている。直流−直流変換器９の出力は先に述べたキャパシタ４に接続される。つまり、太陽光発電エネルギーが先ず直流電圧で冷蔵庫内の直流−直流変換器９に入り電圧レベルが変換されてキャパシタ４を充電する。【００１１】  直流−直流変換器９の出力電圧は、太陽光発電電力が商用電源から得る電力に対し優先して使用されるように制御されている。太陽光発電電力が冷蔵庫の通常動作にかかる消費電力よりも少ないときには、当該発電電力に加えて商用電源から必要な分が補われる。【００１２】  逆に、太陽光発電電力が冷蔵庫の通常動作にかかる消費電力より多いときは、冷蔵庫の冷凍機能を増加して消費電力を増し発電電力が余らないように制御する。この際、増加した冷凍機能で製氷するなどして、本来なら余って使用できないエネルギーを、水を凍らせるなどして蓄えておく。夜間など太陽光発電エネルギーが得られないときに、商用電源に依存するだけでなく、こうして得た氷で冷却機能を補填する。
【符号の説明】
【００１３】    １  冷蔵庫
２  従来の電源コード
３  交流−直流変換器
４  キャパシタ
５  スイッチング回路
６  太陽電池
７  直流電圧入力端子
８  直流用電源ケーブル
９  直流−直流変換器
【図１】
2010216792.tif 000003
(57)【要約】【課題】  従来のパイロンは、移動や運搬をする際に上部を握って持ち上げていたが、パイロンの形状が円錐形の為、握っても滑ってしまい、まして持ち上げるとなると、容易でなかった。【解決手段】  パイロン上部の縦側の部分に数カ所の楕円形の穴をあけ、そこに指を入れて、持ち上げると、力を入れて握る必要も無く、容易に移動、運搬をすることが出来る。【選択図】図２
2010216214.tif 000002
【特許請求の範囲】
【請求項１】
パイロンの上部の縦部に、指が入る程の楕円の穴を数カ所の穴をあける。
【発明の詳細な説明】
【技術分野】
【０００１】本発明は、道路工事や建設現場などに使用するパイロンの移動や、運搬を容易にする、
パイロンに関するものである。
【背景技術】
【０００２】  道路工事や建設現場などで使用されているパイロンは形状が円錐形の為、パイロンを移動や運搬する際に、大変に持ち難く、一番細い上部を握って持ち上げるが、仮に持てても滑って落してしまう事が多い。又、かなりの握力がないと持てない。現在のパイロンはこの移動や運搬に関しての配慮がなされていなかった。只、パイロンの上部をカットしているものは市販されているが、目的がそのカットした部分にランプを取り付ける為のもので、指に掛る部分が少なく、やはり持ち難い。
【発明の概要】
【発明が解決しようとする課題】
【０００３】  移動や運搬する際にパイロンの上部を持つが、パイロンが円錐形の為、滑って落してしまったり、かなりの握力がないと移動や、運搬が容易でなかった。本発明は以上の欠点をなくす為に為されたものである。
【課題を解決するための手段】
【０００４】  本発明は持つ所が無い、パイロン上部に穴をあけ、指が入りパイロンに指が引っ掛かり持ち易いようにする。
【発明の効果】
【０００４】  本発明のパイロンは、上部に穴をあけることにより、指がパイロンの中に入り、それ程の力も要らずに容易に持ち上げることが出来て、移動、運搬が楽になる。
【図面の簡単な説明】
【図１】  本発明の平面図
【図２】  本発明の斜視図
【発明を実施するための形態】
【０００４】  本発明を実施するための最良の形態について説明をする。
パイロンの上部の縦部に指が入る程の穴を数カ所あけることにある。
【図１】
2010216214.tif 000003
【図２】
2010216214.tif 000004
(57)【要約】      （修正有）【課題】低コスト、省エネルギー地中貯油井戸システムの提供。【解決手段】地中に井戸を構築して、内部に貯留チューブ袋を設置して、重油を貯留する地中貯油井戸システム。【選択図】図２
2010216212.tif 000002
【特許請求の範囲】
【請求項１】
地中を掘削して、井戸を作りそこに不透水袋、壁保護、給油、給水を施して、その中に重油を貯油する工法、構造システム。
【発明の詳細な説明】
【技術分野】
【０００１】  地中の温度は、年間を通して、温度の変化が少なく安定をしており、冬季は外気よりも暖かく、夏季は外気よりも低いという利点を活用して、重油の貯留を低コストで、効果的に行うことを考えた、地中貯油井戸システムである。【０００２】  工法としては、まず、杭打ち工事の様に掘削により数十メートルの穴を掘り、孔壁を崩れない様に保護し、鋼製管、肉厚塩ビ管あるいは炭素繊維使用樹脂管等、耐久、耐震、防水性の優れたパイプ（口径約１〜２ｍ）を挿入して、井戸状の穴構築をし、その内部に、耐水性の優れた、炭素繊維、樹脂、炭素繊維、ガラス繊維等の素材で耐久、防水、耐油、耐薬品性の良いチューブ状の袋を挿入して、その内部に、重油を貯留する。そして、パイプを通して精製工程へ送油する。【０００３】  送油法として、貯留した重油を井戸上部より吸引送油するが、重油の減少により、吸引面の下がりを防ぐ為、重油上面を一定のＧＬレベルとなるように、井戸（貯留袋）下部に水等    を給水する。【０００４】  工法が、杭打ち工事と同様に行うことができ、構造も、使用材料も、上部装置も単純で低コストで構築が可能で、省コスト対応が可能である。
又、海洋埋立地では、地中により深く掘削することで、効率も向上する。【０００５】  井戸の口径が１ｍ、貯留深さ１５ｍで、約１１ｍ３の貯留ができ、井戸パイプを強度を向上させて、杭としての機能を持たせることで、上部に法規状の検討が許せば、構築物や貯留タンクの増設等も考えられる。
【背景技術】
【０００６】  省エネ対策として、有効なものが要求されている。
【発明が解決しようとする課題】
【０００７】  低コストの省エネルギー対策を考える。
【課題を解決するための最良の形態】
【０００８】  本考案の基本的装置の概略は［図  面］によります。
【産業上の利用可能性】
【０００９】  低コストの省エネルギー装置としての利用が期待できる。
【図面の簡単な説明】
【００１０】［図  面］
【図１】  概要説明図
【図２】  断面説明図
【図３】  配置例説明図
【図１】
2010216212.tif 000003
【図２】
2010216212.tif 000004
【図３】
2010216212.tif 000005
(57)【要約】      （修正有）【課題】便器使用時に、便が便器に直接接触しないようにして、便が便器にこびりつかせなくし、便器の掃除の手間を省く混入体ペーパーを提供する。【解決手段】便器使用前に便器に投入する混入体ペーパーにジャバラ１、骨子構造２、凹凸を設け、ロール混入体ペーパーに切りはなし穴３を設ける。また、混入体ペーパーにこし、はりを設ける。【選択図】図１
2010216219.tif 000002
【特許請求の範囲】
【請求項１】
混入体ペーパーにジャバラ又は凹凸を設ける。
【請求項２】
混入体ペーパーに骨子構造を設ける。
【請求項３】
ロール混入体ペーパーに切りはなしの穴を設ける。
【請求項４】
混入体ペーパーに、こし、はりを設ける。
【発明の詳細な説明】
【技術分野】
【０００１】  本発明は大便のとき、水洗便器に投入して、混入体ペーパーが、便と便器のあいだになり、便を便器にこびりつかせない混入体ペーパーである。
【背景技術】
【０００２】  従来水洗トイレで大便のとき、便の大小、固さ、量とうで、便が便器にこびりつき、ペーパーで拭く、何回も水洗する、最後は掃除具での、とりのぞきがなされてます。
【発明の開示】
【０００３】  大便後便が便器にこびりつくことがあります。ぺーパーで拭く、何回も水洗する、最終的に掃除ブラシの使用とりのぞきがなされてます。道具の水洗、あとかたずけの手間がありました。
本発明は、便器に投入することで、便がこびりつかなくなるものである。
【課題を解決するための手段】
【０００４】  水洗便器に投入する混入体ぺーパーにジャバラ又は凹凸を設ける。骨子構造を設ける。ロール混入体ペーパーには切りはなし穴を設ける。混入体ペーパーに、こし、はり、を設ける。
本発明は以上の構成によりなる便が便器にこびりつかない混入体ペーパーである。
【発明の効果】
【０００５】  本発明を投入使用すると、混入体ペーパーが便と便器の直接な接触をふせぎ、便を便器にこびりつかせないで水洗することができる。
【発明を実施するための最良の形態】
【０００６】  以下本発明の実施形態を説明する。
（イ）混入体ペーパーにジャバラ又は凹凸を設ける。
（ロ）混入体ペーパーに骨子構造を設ける。
（ハ）ロール混入体ペーパーに切りはなしの穴を設ける。
（ニ）混入体ペーパーに、こし、はり、を設ける。
本発明は以上の構成によりなる。
本発明を投入使用する場合は投入することで便が便器にこびりつかず、掃除の手間の必要がない、１回で水洗できるものである。
【図面の簡単な説明】
【０００７】
【図１】  本発明のジャバラ上視図
【図２】  本発明のジャバラ横視図
【図３】  本発明の凹凸上視図
【図４】  本発明の凹凸横視図
【符号の説明】
【０００８】  （１）ジャバラ、（２）骨子構造、（３）穴、（４）凹凸、（５）こし、はり．
【図１】
2010216219.tif 000003
【図２】
2010216219.tif 000004
【図３】
2010216219.tif 000005
【図４】
2010216219.tif 000006
(57)【要約】【課題】自己の願望を、いろいろの具象物に依存していたが、自己のための願望目的を手助けしたい。【解決手段】自己の願望を他の縁起物に依存せず、各個人の願望をメッセージと共に写真撮影し、カード化したもの。【選択図】図１
2010006037.tif 000002
【特許請求の範囲】
【請求項１】
自分の顔が見える任意の着ぐるみを着用し、なりたい願望のメッセージを記入した短冊状のカードを持ち、写真を写し、それを小型にし、カード形状にし、そのカードを補強するためにラミネート加工をし、カードの一端に複数の穴を開けたことを特徴とする願い事ヘルプ・カード。
【発明の詳細な説明】
【技術分野】
【０００１】本発明は縁起グッズに関するもので、着ぐるみを着用し短冊状のメッセージを手に持ちそれを写真に撮り小型化しカード化したものに関する
【背景技術】
【０００２】従来の縁起物にもカード化したものがあるが、抽象的なものばかりで自分の願望のものがなかった。
【特許文献１】特開平６−２７３８５８上記の一部を参考にしたが、自分の考えと違っていた。
他の文献も探したが、適したものが見当たらなかった。
【発明の開示】
【発明が解決しようとする課題】
【０００３】しかしながらまねき猫、絵馬、ピラミッドタワー、水晶の玉などいろいろあるが、願い事を具体的に表したものは見あたらなかった。又、不特定多数でなく、各個人の願望も違うので当該人の希望の願望をヘルプするものである。
【課題を解決するための手段】
【０００４】本発明は願い事は常に心に思い続けていたり、強く映像化して持ち続けることで、願い事がかなうと言われている。それゆえ、自分の顔が見える任意の着ぐるみを着用し、なりたい願望のメッセージを記したものを短冊状のカードを手に持ち、スタジオで写真撮影をし、それをカード状にしてあり、軽いのでポケットや財布に入れても負担にならないもので、願望が成就するようにひもで結ぶようにした願い事ヘルプ・カードである。
【発明の効果】
【０００５】本発明は、まねき猫、絵馬、ピラミッドタワー、水晶の玉などのような置物類、念珠類のような多角形の物品でなく、カード状にしたので薄くてかさ張らず、小さく軽いので常に身体につけて持ち歩いても負担にならない。ポッケトや財布等に入れておけば、トイレに行った時にでも、ちょっと取り出してカードを見て、願い事を強く脳に映像化して念ずることができる。又、カードの一端に複数の孔をあけ、ひもを通し結ぶことにより、願望がかなうように、成就するように努力する源になる。
【発明を実施するための最良の形態】
【実施例】
【０００６】人によっては、願望もさまざまである。その中の一番強く願っているものを一つメッセージにし、短冊状のものに短く記入する。例として東大に入学する、素敵な恋愛をしたい、結婚したい、ビジネスで成功したい、金持ちになりたい、家を建てたい等などいろいろある。
本発明は、例として金色のまねき猫の着ぐるみを着用し（東大に入学する）等のメッセージ短冊を持ち、写真撮影する。それを、小型のカード状にし補強するためにラミネート加工する。まねき猫にしたのは、一般的によく知られ親しまれているので良いと考えた。それに、金色はオリンピックでも一位を表し、金は財の象徴とされている。カード化することにより、他人にもプレゼントし自分の気持ちを人に知ってもらえるのに役立つ。ラミネート加工したカードは、一端に孔を開けひもを通す。ひもは、生命力を表す赤いひもにし、カードに通したら、必ず結んでポケットや財布等に携帯する。携帯することにより、このカードを一日に何回も見直すことができ、願望を成就させる。成就するというイメージが強く映像化するので、願望を達成させる気持ちがあふれる願い事ヘルプ・カード。
【図面の簡単な説明】
【０００７】
【図１】本発明の概略図
【図２】撮影からカードにする処理図
【図３】カードの孔にひもを通した図
【符号の説明】
１    着ぐるみ
２    顔をのぞかせる穴
３    メッセージ短冊
４    成就の文字
５    孔
６    ひも
７    カード
【図１】
2010006037.tif 000003
【図２】
2010006037.tif 000004
【図３】
2010006037.tif 000005
(57)【要約】【課題】複数段の表裏切り替え可能なホワイトボード（または黒板など）を提供する。【解決手段】表裏切り替え可能なように、ダイヤルやスライダーなどの切り替え用取っ手を土台側面に設け、複数段の両面使用できるホワイトボード（または黒板など）の製品の製造方法。【選択図】図１
2010006036.tif 000002
【特許請求の範囲】
【請求項１】
黒板、ホワイトボード、などが両面使用できるように複数段設置された裏表切り替え可能な記入ボード。
【発明の詳細な説明】
【技術分野】
【０００１】本発明は、表裏両面を使用できる複数段の表裏切り替えボードに関するものである。
【背景技術】
【０００２】これまでの黒板、ホワイトボードは、全面を使用し両面をひっくり返して記入できるものはあったが、手軽かつ複数段に分かれた黒板、ホワイトボードは存在しなかった。（特許文献１）
【特許文献１】特開平８−９０９８７号広報
【発明の開示】
【発明が解決しようとする課題】
【０００３】従来より次のような問題があった。
（イ）これまで複数段かつ表裏が切り替えでき、両面が使用できる黒板、ホワイトボードなどが存在しなかった為、普通の黒板やホワイトボードなどに毎日同じ手順で行うリストなどを書いた場合、いちいち書いたり消したりしなければならなかった。
（ロ）黒板、ホワイトボードなどは大きなものが多く、事務用品としての用途意外にあまり使い道がなかった。
（ハ）黒板、ホワイトボードの利点を活かした生活に取り入れやすいものが存在しなかった。
本発明は、以上の問題点を解決しようとするものである。
【課題を解決するための手段】
【０００４】土台となる枠に両面使用できるホワイトボード（または黒板など）を複数設置する。土台側面に回転しやすいようダイヤルなどを設け、まわすことで表裏を切り替えることを可能にする。
また、土台となる枠もホワイトボード（または黒板など）の素材にすると、リストのナンバーや概要を固定で書くことも出来る。
以上を特徴とする複数段の表裏切り替えボードである。
【発明の効果】
【０００５】本発明は、ひっくり返すことで毎日同じ手順で行うことなどに関し進捗を確認しやすく年代問わず生活に取り入れることが可能である。
複数段にすることにより用途が広がり、病院での食事や薬の飲用のチェック、飲食店でのメニュー、会社などスケジュール管理の場で使用することができ、生活により取り入れやすくなる。毎日のやることリストなどを書き込み、終わったものから順にひっくり返して使用することで、進捗がわかりやすい。
会社社員などの営業先リストや、いつも同じ手順で進めるものなどをいちいち書き換えずにひっくり返すだけでどこまで進んだかを確認できる。
飲食店などの日替わりのオススメメニューなどを書き込み、売り切れた順からひっくり返すことで、お客さんにも分かりやすく売れ行きを確認できる。
【発明を実施するための最良の形態】
【０００６】以下、本発明の実施の形態について説明する。
第一工程  土台となる枠を用意する。
第二工程  上記の土台に両面使用できるホワイトボード（または黒板など）を複数段設置する。
第三工程  土台側面にダイヤルやスライダーなどの切り替え用取っ手を設け、それをまわすことでボードの表裏を切り替えることができる。
【図面の簡単な説明】
【０００７】
【図１】本説明の斜視図
【符号の説明】
【０００８】１  表裏切り替えダイヤル
２  ホワイトボード（または黒板など）
３  土台となる枠
【図１】
2010006036.tif 000003
(57)【要約】      （修正有）【課題】低価格で安全な皮膚病全般に効果が有り、かつ健康増進にも期待できる薬品の提供。【解決手段】桧には人体に有効なテルペン類等が多数含まれ、特にａ・ピネン・フェノールには顕著な薬効・殺菌効果があるのところから、桧の枝・葉を粉砕し酢或は塩を加え、蒸散させる事によりこれらの有効成分が安定化し、長期間使用が可能になり、皮膚疾患、身体機能を向上させる。皮膚疾患の多くは副作用無く治癒でき、酵素の基質特異性及び西洋医薬の特定の疾患のみ治療する専門薬と違い、広範な疾患、炎症、皮膚病、切り傷に対応できる。【選択図】なし【特許請求の範囲】
【請求項１】
桧の枝・葉を粉砕し酢を加えて蒸散させ蚊、ノミ、ダニ等を殺す方法
【請求項２】
桧の枝・葉を粉砕し酢及び塩を加えて蒸散させ蚊、ノミ、ダニ等を殺す方法
【請求項３】
桧の枝・葉を粉砕し酢を加え浴槽に混入し、皮膚病の治療及び清浄を保ち血行を良くする方法
【請求項４】
桧の枝・葉を粉砕し酢及び塩を加え浴槽に混入し、皮膚病の治療及び清浄を保ち血行を良くする方法
【請求項５】
桧の枝・葉を粉砕し酢を加え身体に塗布し、皮膚病及び炎症を止め血行を良くする方法
【請求項６】
桧の枝・葉を粉砕し酢及び塩を加え身体に塗布し、皮膚病及び炎症を止め、血行を良くする方法
【請求項７】
上記請求項［１］［２］［３］［４］［５］［６］に其の他の薬用成分を併用し使用する方法
【発明の詳細な説明】
【技術分野】本発明は桧の枝・葉を粉砕し、これに酢あるいは塩を加えて、その有効成分により疾病を治療し健康増進を計るものである。
【背景技術】桧には人体に有効なテルペン類等が多数含まれ、特にａ・ピネン・フェノールには顕著な薬効・殺菌効果があるのは周知の事実である。
【発明の開示】
【発明が解決しようとする課題】従来、生薬には多様な成分、効能あるが、桧の枝・葉に含まれる有効成分を皮膚病医薬として健康増進に用いる事は不可能だった。
テルペン類は不安定な成分であり使用は困難だった。
【課題を解決するための手段】桧の枝・葉を酢と混合すると成分が安定し、長期間使用が可能になる。又、塩を加えると効果が増大することも判明した。
【発明の効果】本発明により皮膚疾患の多くは副作用無く治癒でき、酵素の基質特異性及び西洋医薬の特定の疾患のみ治療する専門薬と違い、広範な疾患、炎症、皮膚病、切り傷に対応できるものである。
【発明を実施するための最良の形態】桧の枝・葉を酢と混合し粉砕して濾過し、適宜、蒸散させたり、浴湯に混入する。塩を加えると効果が増大する。
又、他の木成分も混合し使用すると広範な用途に応える事ができる。
【産業上の利用の可能性】
上記加工により、皮膚疾患、血圧の低下、身体機能の平衡を促進する。又、安値である為、所得の低い層の治療薬として期待できる。又、桧の枝・葉を使用する為間伐の促進にも有効である。
(57)【要約】【課題】  樹脂製容器、金属容器、ガラス容器で内容物を湿気から保護し、酸化による劣化を防ぐためになされたもの。【解決手段】  例えば炭粉と樹脂接着剤を混合した炭塗工液を得、これを所定の容器内面に塗布して炭層と容器を一体化して得た酸化、湿気を防止する密閉容器である。【選択図】図１
2010006467.tif 000002
【特許請求の範囲】
【請求項１】
内面に炭層を設けて、容器と炭層が一体化した密閉容器である。
【請求項２】
外面を炭層で覆った、容器と炭層が一体化した密閉容器である。
【発明の詳細な説明】
【技術分野】
【０００１】  本発明は内面に炭層を有する酸化防止密閉容器に関する。
【背景技術】
【０００２】  特願平１１−０３９３４９に炭含有シートを不織布で包んだものを敷いたり張ったりして食品を長期に保存するものはある。【０００３】  特願平０８−１９８３７７に炭粉、セラミックス粉末、磁気水及び木酢液の混合物と紙とを一体化した炭等含有紙シート１を不織布３で包んだものであり、殺菌、防黴、湿気・臭気防止・鮮度保持、酸化防止等の多様な作用を有するため、木製、プラスチック製又は紙製の保存容器に貼付けるか、底や棚に配置すると長期保存できるとある。【０００４】  しかし、炭層と容器が一体化した密閉容器に関しての文献は見当たらない。
【参考文献】
【０００５】
【参考文献１】
特願平１１−０３９３４９
【参考文献２】
特願平０８−１９８３７７
【発明の開示】
【発明が解決しようとする課題】
【０００６】  原料や商品から、水分を取り除き乾燥させると長期保存ができ、流通コストも安い。しかし、腐敗はしなくても、酸化によって劣化して食味や薬効が変化する。【０００７】  樹脂容器は量産の仕組みが整っていて価格が安く、軽量で使い勝手がよいが、一定の酸素や水分を透過するので湿気を吸収し、短期間で酸化して食味が変化し、薬効なども低下する。【０００８】  金属やガラス容器は酸素や水分は透過しないが、やはり長期間保存すると酸化し、価格が高く重いため使い勝手が悪い。【０００９】  また、完全に密閉していても外部に臭いの漏れる商品があり、現状ではこれを防ぐ手立てはない。
【課題を解決するための手段】
【００１０】  木炭粉を樹脂製袋に封入すると、空気がなくなって次第に硬くなって板のようになる。袋を開けると元の木炭粉であり、これを再度袋に封入しても同じく板のように硬くなる。何度繰り返しても同じように、空気がなくなって板のように硬くなる。【００１１】  炭が空気を吸着するのが原因であれば、数回で飽和状態になるはずであり、空気を吸着することだけでは説明が付かないが、原因は解明されていない。樹脂製袋には微量の空気の流通はあるためそれ以上の速度で袋中の空気に変化が起こっているはずである。【００１２】  発明者はこのような現象は、炭が酸素を吸収するだけではなく、空気に何らかの解明困難な作用を及ぼしていて、抗酸化空間を出現させると推測している。【００１３】  炭は紫外線はじめ太陽が放射する電磁波の大半を吸収して熱エネルギーに変換するため劣化しないことは知られている。また、腐敗系の細菌の増殖を抑制する作用がある。【００１４】  本発明は炭が空気を吸着し続ける作用や、太陽が放射する紫外線を含む電磁波の大半を吸収する作用を利用して、酸化を防ぎ、食物などを長期間保存できる低コストの酸化防止密閉容器を得るためになされたものである。【００１５】  請求項１は、容器内部を抗酸化空間にするために、内面に炭層を設けて、炭層と容器が一体化した密閉容器を得ることが特徴であり、例えばエチレン酢酸ビニル樹脂エマルジョン接着剤と炭粉を混合して得た炭塗工液を、密閉容器の内面に塗布したものなどや、例えばポリエチレン、ポリプロピレン、ペット樹脂のいずれか、または複数と炭粉を溶融混合して接着したものである。【００１６】  封入した物が汚れないで、光や酸素によって劣化しない抗酸化空間を得ることが特徴である。【００１７】  請求項２は外部に臭いが漏れないようにするために、外面を炭層で覆って、容器と炭層が一体化した密閉容器を得ることが特徴であり、請求項１と同様に炭塗工液や熱可塑性樹脂を用いて外面に炭層を設けたものであり、炭の吸着機能や太陽光の吸収作用を利用して、密閉容器から発する微量の臭いを吸着し、酸化を抑制することが特徴である。【００１８】  例えば、商品を封入した後噴霧して炭層で覆うことができる。【００１９】  炭粉には木炭粉、竹炭粉、活性炭粉を使用して、０．５ｍｍ粒状以下が望ましく、容器は樹脂、金属、ガラス、複合紙製のいずれでも良い。
【発明の効果】
【００２０】  炭は酸素を含む空気を吸着して抗酸化空間を創造する作用や紫外線などの太陽光線を吸収する作用があり、光や酸素によって内容物の劣化が生じない密閉容器を得ることができる。
【実施例１】
【００２１】  樹脂１０重量、炭粉３〜１０重量、望ましくは樹脂１０重量、炭粉１０重量を過熱溶融して、樹脂製容器の内側面全部に塗布したものであり、塗布後冷却すれば炭層と容器は強固に接着して一体化する。【００２２】  食品、医薬品、化粧品を封入した後、密閉蓋をする。
【実施例２】
【００２３】  樹脂容器の内面一部に、エチレン酢酸ビニル樹脂エマルジョン接着剤と炭粉と水を望ましくは４：５：３の重量比で混合して得た炭塗工液を、噴霧して塗布したものであり、塗布後の乾燥に一定の時間を要するが、大きな容器にも容易に塗布できる。【００２４】  食品、医薬品、化粧品を封入した後、密閉蓋をする。
【実施例３】
【００２５】  エチレン酢酸ビニル樹脂エマルジョン接着剤と炭粉を混合して得た炭塗工液を、密閉容器の外側全面に塗布して容器を覆った。
【産業上の利用可能性】
【００２６】  紫外線や酸素の影響を受けないため、食品、医薬品、化粧品原料や商品の保存に適している。【００２７】  樹脂製容器でも実施できるためコストが安く、例えばコーヒーの粉を封入して、飲む時に湯と混合できるような商品もできる
【図面の簡単な説明】
【００２８】
【図１】実施例２の概略断面図である。
【符号の説明】
【００２９】１．密閉容器
２．炭層
３．蓋
【図１】
2010006467.tif 000003
(57)【要約】【課題】戸外で今いる場所の情報を収集できないか。自分がいる場所周辺の情報にどうやってアクセスするのか。【解決手段】各地点ごとにＱＲコードを設置し、その場所からその場所に特化した情報にアクセスできるようにし、その場所ごとの広告と連動させる。【選択図】図１
2010049670.tif 000002
【特許請求の範囲】
【請求項１】
地域ごとの場所に特化した案内を広告に連動させるシステム
【請求項２】
地区、地域ごとの場所に特化した情報を、特定地域別にアクセスするシステム
【請求項３】
以下の要件を満たしたことを特徴とする請求項１及び２に記載の場所連動広告システム
（イ）  地域観光データベースの機能を有する
（ロ）  地域広告データベースの機能を有する
（ハ）  地域就職情報データベース機能を有する
（ニ）  時刻表データベースの機能を有する
（ホ）  メール配信サービスの機能を有する
【発明の詳細な説明】
【技術分野】
【０００１】本発明は地区拠点の地域情報と広告や就職情報等を特定地域ごとに連動させることにより、各地区拠点の地域・地区に特化した情報を地区拠点のＱＲコード等からアクセス可能にし、戸外での情報収集をより容易にし、新たな広告場所の確保を可能にするシステムである。
【背景技術】
【０００２】ＱＲコードで観光場所の内容にアクセスできるものはあるが、観光情報のみに特化している。【０００３】観光場所に行けば情報を得ることは可能だが、その場所にたどり着く必要がある。【０００４】今いる場所の情報を知るために、全世界のＷＥＢ上の情報から検索する必要がある。
【発明の開示】
【発明が解決しようとする課題】
【０００５】地域・地区情報を戸外の場所からモバイル機器でアクセスすることにより、その場所近辺の情報を観光客・地域住民の場所に合わせた情報を検索することなく簡単に得ることができる用にする。【０００６】これまでのＷＥＢ上の地域情報では以下の問題点が存在した。
（イ）観光客にとっては知らない観光場所に行くことはできない
（ロ）地域住民にとっては自分の近くの情報を世界中から検索する必要がある
（ハ）その場所ごとの情報を現在いる場所から知ることが難しい
本発明はこれらの欠点を解決するために為されたものである。
【課題を解決するための手段】上記目的に関する本発明は次のとおりである。【０００７】地域情報データベースと観光データベースを連動させる。【０００８】データベースへのアクセスをモバイル機器から可能とする。【０００９】戸外の各地点にＱＲコードを設置する。【００１０】その場所のＱＲコードにアクセスすれば、今の場所近辺情報がわかる。
【発明の効果】
【００１１】今いる場所から、その場所の情報へ直接アクセスできる【００１２】場所と地域情報と広告を連動させることにより、より効果のある広告がうてる【００１３】地域住民、観光客へ有用な情報を戸外で入手できるようにする【００１４】本発明品を利用することにより、携帯デバイスでの場所ごとの情報収集が容易となる
【発明を実施するための最良の形態】
【００１５】地区拠点としてバスの停留所や郵便ポスト等、各地域の場所ごとにＱＲコードを設置する【００１６】場所ごとのＱＲコードに応じたＷＥＢページを制作し、地区情報を地区登録別にメール配信する
【実施例】
【００１７】各バス停からのＱＲコードへのアクセスにより、場所ごとの情報にアクセスできるようにし、バス停の時刻表情報なども表示する。【００１８】郵便ポスト等の拠点のＱＲコードから地点ごとの周辺情報へアクセスできるようにし、地域に密着した情報を容易に入手できるようにする。
【産業上の利用可能性】
【００１９】場所ごとに特化した情報に、ＱＲコードのある戸外から携帯デバイスでアクセスできることにより、場所に特化した広告をより必要な人に配信することが可能となる。
【図面の簡単な説明】
【００２０】
【図１】場所ごとに特化した情報アクセスシステム  システムのフローチャート
【図１】
2010049670.tif 000003
(57)【要約】【課題】組み立てる際に必要な外装材の種類の削減を図ることができると共に、軽量化を図ることの可能なワイヤハーネスを提供する。【解決手段】電線束Ｗの外周に巻き付けることのできる柔軟性を有すると共に、少なくとも外面が電線束Ｗの電線の絶縁被覆よりも硬質であり、且つ、０．５ｍｍミリ以上の肉厚を有するテープ素材の内面に粘着層を形成した外装テープ１０を、電線束Ｗの外周に巻き付けたワイヤハーネスＷＨであって、外装テープ１０の巻き付け方向に従った曲がり癖を付けることで、電線束Ｗの湾曲部Ｂを形成した。【選択図】図１
2010049947.tif 000002
【特許請求の範囲】
【請求項１】
電線束の外周に巻き付けることのできる柔軟性を有すると共に、少なくとも外面が前記電線束の電線の絶縁被覆よりも硬質であり、且つ、所定の肉厚を有するテープ素材の内面に粘着層を形成した外装テープを、前記電線束の外周に巻き付けて仕上げたワイヤハーネスであって、
前記外装テープの巻き付け方向に従った曲がり癖を、前記電線束の湾曲部に付けたことを特徴とするワイヤハーネス。
【発明の詳細な説明】
【技術分野】
【０００１】
本発明は、外装テープを使用して仕上げたワイヤハーネスに関するものである。
【背景技術】
【０００２】
一般のワイヤハーネスは、図２に例を示すように、電線束Ｗの外周にテープ１０１を巻き付けて電線束Ｗを結束し、端末にコネクタ１５を取り付けるなどして仕上げている（例えば、特許文献１参照）。また、その上で、必要な箇所に硬質樹脂製の保護材１０２を装着して、テープ１０３で巻き止めたり、屈曲部などに屈曲形状のプロテクタ１０５を装着して、テープ１０６で巻き止めたりている。
【特許文献１】特開２００２−４２５６２号公報
【発明の開示】
【発明が解決しようとする課題】
【０００３】
ところで、従来では、図２に示したようにワイヤハーネスＷＨを組み立てる際に、電線束Ｗを束ねるためのテープ１０１、硬質樹脂製の保護材１０２およびそれを止めるためのテープ１０３、プロテクタ１０５およびそれを止めるためのテープ１０６等を別々に用意しなくてはならず、部品点数が多くなりがちであった。また、テープ１０１の上に保護材１０２を被せ、更にその上にテープ１０３を巻き付けるなどの多重巻き構造になるために、ワイヤハーネスＷＨの全重量が重くなりがちであった。
【０００４】
本発明は、上記事情を考慮し、組み立てる際に必要な外装材の種類の削減を図ることができると共に、軽量化を図ることの可能なワイヤハーネスを提供することを目的とする。
【課題を解決するための手段】
【０００５】
請求項１の発明は、電線束の外周に巻き付けることのできる柔軟性を有すると共に、少なくとも外面が前記電線束の電線の絶縁被覆よりも硬質であり、且つ、所定の肉厚を有するテープ素材の内面に粘着層を形成した外装テープを、前記電線束の外周に巻き付けて仕上げたワイヤハーネスであって、前記外装テープの巻き付け方向に従った曲がり癖を、前記電線束の湾曲部に付けたことを特徴とする。
【発明の効果】
【０００６】
請求項１の発明によれば、外装テープの巻き付け方向に従った曲がり癖を電線束の湾曲部に付けているので、従来のプロテクタを使用せずに、ワイヤハーネスの経路規制を行うことができる。これにより、結束用のテープ、保護材およびそれを止めるためのテープ、電線束の経路規制用のプロテクタおよびそれを止めるためのテープなどを別々に用意して使用する必要がなくなり、１つの部材で全ての機能を賄うことができるので、使用部材の数を減らして、ワイヤハーネスの軽量化を図ることができる。
【発明を実施するための最良の形態】
【０００７】
以下、本発明の実施形態を図面を参照しながら説明する。
【０００８】
図１（ａ）は実施形態のワイヤハーネス用の外装テープの構成を示す斜視図、図１（ｂ）はそのテープを使用して組み立てたワイヤハーネスの構成を示す斜視図である。
【０００９】
このワイヤハーネス用の外装テープ１０は、電線束Ｗの外周に巻き付けることのできる柔軟性を有すると共に、少なくとも外面１０Ａが電線束の電線の絶縁被覆よりも硬質であり、且つ、０．５ｍｍ以上の肉厚ｔを有するテープ素材の内面１０Ｂに粘着層を形成したものである。テープ素材の材質としては、ｐｐ（ポリプロピレン）を例として挙げることができる。
【００１０】
このワイヤハーネス用の外装テープ１０は、ワイヤハーネス結束機能とワイヤハーネス保護機能とワイヤハーネス経路規制機能を発揮できるものであり、電線束Ｗの外周に巻き付けて、端末部にコネクタ１５を取り付けるなどすることにより、従来の結束用テープ、保護材およびそれを止めるためのテープ、電線束の経路規制用のプロテクタおよびそれを止めるためのテープなどを別々に使用せずに、ワイヤハーネスＷＨを組み立てることができる。
【００１１】
即ち、ワイヤハーネス用の外装テープ１０は、柔軟性を有するテープ素材の内面に粘着層を形成したものであるから、従来の結束用テープと同様に、電線束Ｗの外周に巻き付けることで、電線束Ｗを結束することができる。また、少なくともテープ素材の外面が硬質になっており、且つ、テープ素材が０．５ｍｍ以上の肉厚を有しているので、電線束Ｗの外周に巻き付けた状態で、中の電線束Ｗを保護することができる。
【００１２】
例えば、ワイヤハーネスＷＨの直線部Ａにおいては、螺旋状に連続で巻くのではなく、一周ずつ巻き付けていけば、直線部Ａを真っ直ぐな状態に癖付け（規制）できるし、ワイヤハーネスＷＨの曲がり部Ｂにおいては、ワイヤハーネス用の外装テープ１０の巻き付け方向に従った曲がり癖を付けることにより、電線束Ｗに湾曲部Ｂを形成することができる。
【００１３】
特に、このワイヤハーネス用の外装テープ１０では、厚肉のテープ素材を使用しているから、電線束Ｗの外周に、テープを特定の方向への引っ張り力を加えながら巻き付けることにより、電線束Ｗに、巻き付け方向に従った曲がり癖を容易に付けることができ、その曲がり癖により、従来のプロテクタのように、電線束Ｗの経路規制を行うことができる。例えば、テープ１０を右巻きすることにより電線束Ｗを右曲がりに湾曲させることができ、テープ１０を左巻きすることにより電線束Ｗを左曲がりに湾曲させることができる。
【００１４】
このように、結束用のテープ、保護材およびそれを止めるためのテープ、電線束の経路規制用のプロテクタおよびそれを止めるためのテープなどを別々に用意して使用する必要がなくなり、１つの部材で全ての機能を賄うことができるので、使用部材の数を減らして、ワイヤハーネスＷＨの軽量化を図ることができる。
【図面の簡単な説明】
【００１５】
【図１】本発明の実施形態の説明図で、（ａ）は実施形態のワイヤハーネス用外装テープの構成を示す斜視図、（ｂ）はそのテープを使用して組み立てたワイヤハーネスの構成を示す斜視図である。
【図２】従来のワイヤハーネスの構成図である。
【符号の説明】
【００１６】
１０  外装テープ
Ｗ  電線束
ＷＨ  ワイヤハーネス
Ｂ  湾曲部
【図１】
2010049947.tif 000003
【図２】
2010049947.tif 000004